【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
発光層を挟んで第１導電型層、第２導電型層が設けられた素子積層構造に、同一面側を電極形成面として、第１導電型層、第２導電型層にそれぞれ第１電極、第２電極が設けられ、
前記電極形成面内において、
第１導電型層が露出されて第１電極が設けられる電極形成領域を有する露出部と、発光層を挟んで第１導電型層、第２導電型層が設けられ、該第２導電型層に第２電極が形成される発光構造部と、を有し、
前記第２電極に、外部と電気的に接続される互いに分離された複数の第３電極部が設けられ、該第３電極部が配列されてなる配列電極部を互いに分離されて複数有すると共に、
前記第１導電型層露出部が前記発光構造部に分離されて複数設けられ、該分離された露出部に各々第１電極が設けられ、
前記配列電極部若しくはその形成領域と、前記第１電極若しくはその形成領域と、が交互に配置され、
各配列電極部間で、各配列電極部の第３電極部が互いに隣接する１組の第３電極部間において、互いに連結する発光構造部を有する発光素子。
【請求項２】
発光層を挟んで第１導電型層、第２導電型層が設けられた素子積層構造に、同一面側を電極形成面として、に第１導電型層、第２導電型層にそれぞれ第１電極、第２電極が設けられ、
該電極形成面内において、
第１導電型層が露出されて第１電極が設けられる電極形成領域を有する露出部と、発光層を挟んで第１導電型層、第２導電型層が設けられ、該第２導電型層に第２電極が形成される発光構造部と、を有し、
前記第２電極に、外部と電気的に接続される互いに分離された複数の第３電極部が設けられ、
前記第１導電型層露出部が該露出部に設けられる第１電極と共に複数設けられ、
前記第３電極部若しくはその形成領域と、前記第１電極若しくはその形成領域と、が交互に配置され、
該交互に配置された第３電極間で互いに隣接する一部の第３電極部の間で、前記分離された第３電極部間を互いに連結する発光構造部を有し、
前記第１電極は、前記交互に配置され互いに分離される第３電極部若しくはその形成領域により、互いに分離されるパッド部を有し、該分離された第１電極のパッド部間に、前記第３電極部若しくはその形成領域が設けられた発光構造部から延伸され第３電極部から離れた発光構造部を有する発光素子。
【請求項３】
前記第１電極が、パッド部と、該パッド部から、前記第３電極部若しくはその形成領域が設けられた発光構造部に隣接して延伸する延伸部と、を有する請求項１又は２記載の発光素子。
【請求項４】
前記交互に配置された第１電極のパッド部間に、前記発光構造部が設けられていることを特徴とする請求項２又は３記載の発光素子。
【請求項５】
前記延伸部間の発光構造部、若しくは延伸部に分離されて併設された発光構造部が、発光領域内の延伸部の端部近傍の発光構造部に連続して形成されていることを特徴とする請求項３記載の発光素子。
【請求項６】
前記発光領域内の発光構造部に設けられた第２電極が、該第２電極上に設けられた第３電極を有し、前記第１電極の延伸電極部間に該第３電極が設けられて、各第３電極は互いに分離されて複数形成されていることを特徴とする請求項１又は２記載の発光素子。
【請求項７】
基板上に、ｎ型層、活性層及びｐ型層が積層されてなる積層体を備え、その積層体はｎ側の電極をライン状に形成するために上記ｎ型層表面が露出された互いにほぼ平行なｎ電極形成領域を有し、上記ｐ型層にｐ電極が形成された窒化物半導体発光素子において、
上記ライン状ｎ電極形成領域は、互いに分離されて等間隔に配置されかつ各ライン状ｎ電極領域にはそれぞれｎパッド部が形成され、
上記ｐ電極には、上記ライン状ｎ電極領域と交互に配置されるライン状の電流拡散導体が形成され、その電流拡散導体にそれぞれｐパッド部が形成され、
上記分離・配置され隣接するライン状ｎ電極領域間でそのｎパッド部間に、活性層及びｐ型層が積層された積層部が、上記ライン状電流拡散導体端部から離れて配置されると共に、
上記分離・配置され隣接するライン状電流拡散導体間でそのｐパッド部間に、上記積層部が、上記ライン状ｎ電極領域端部から離れて配置されている窒化物半導体発光素子。
【請求項８】
前記ライン状ｎ電極領域に、ｎパッド部とｎライン部とを有するｎ電極が設けられ、及び／又は、前記ライン状電流拡散導体に、ｐパッド部とライン部とを有する拡散導体が設けられ、ている請求項７記載の発光素子。
【請求項９】
請求項１乃至８のいずれか１項に記載の発光素子を、積層基体に実装した素子積層体において、前記発光素子が該電極形成面側を、積層基体との接合面側として、該発光素子の第１，２電極若しくはｎ，ｐ電極に対応して設けられた積層基体側電極にそれぞれ接合されて電気的に接続される素子積層体。
【請求項１０】
前記素子積層体が、前記発光素子を複数有し、前記積層基体側電極若しくは配線で互いに電気的に接続されている請求項９記載の素子積層体。
【請求項１１】
前記発光素子が、該発光素子の光を一部吸収して異なる波長の光を発光する光変換部材を含有する被覆膜で少なくとも一部が覆われている素子積層体。
【請求項１２】
前記発光素子の互いに分離された電極が、積層基体側の１つの電極に接合されて、互いに電気的に接続されていることを特徴とする請求項９乃至１１のいずれか１項に記載の素子積層体。
【請求項１３】
前記発光素子の互いに分離された電極が、素子側に設けられた配線により互いに電気的に接続される請求項９乃至１１のいずれか１項に記載の発光素子。
【請求項１４】
請求項１乃至８記載の発光素子を用いた発光装置であって、発光装置には、発光素子から光の一部を、それとは異なる波長の光に変換する光変換部材を有することを特徴とする発光装置。
【請求項１５】
前記光変換部材が、Ａｌを含み、かつＹ、Ｌｕ、Ｓｃ、Ｌａ、Ｇｄ、Ｔｂ、Ｅｕ及びＳｍから選択された少なくとも一つの元素と、Ｇａ及びＩｎから選択された一つの元素とを含むアルミニウム・ガーネット系蛍光体であって、さらに希土類元素から選択された少なくとも一つの元素を含有するアルミニウム・ガーネット系蛍光体を有することを特徴とする請求項１４記載の発光装置。
【請求項１６】
前記光変換部材が、（Ｒｅ１−ｘＲｘ）３（Ａｌ１−ｙＧａｙ）５Ｏ１２（０＜ｘ＜１、０≦ｙ≦１、但し、Ｒｅは、Ｙ，Ｇｄ，Ｌａ，Ｌｕ，Ｔｂ，Ｓｍからなる群より選択される少なくとも一種の元素であり、ＲはＣｅ又はＣｅとＰｒである）であらわされる蛍光体を有することを特徴とする請求項１４記載の発光装置。
【請求項１７】
前記光変換部材が、Ｎを含み、かつＢｅ、Ｍｇ、Ｃａ、Ｓｒ、Ｂａ、及びＺｎから選択された少なくとも一つの元素と、Ｃ、Ｓｉ、Ｇｅ、Ｓｎ、Ｔｉ、Ｚｒ、及びＨｆから選択された少なくとも一つの元素とを含み、希土類元素から選択された少なくとも一つの元素で付活された窒化物系蛍光体を有する請求項１４乃至１６のいずれか１項に記載の発光装置。
【請求項１８】
前記窒化物系蛍光体が、一般式ＬＸＳｉＹＮ（２／３Ｘ＋４／３Ｙ）：Ｅｕ若しくはＬＸＳｉＹＯＺＮ（２／３Ｘ＋４／３Ｙ−２／３Ｚ）：Ｅｕ（Ｌは、Ｓｒ若しくはＣａ、又は、Ｓｒ及びＣａ、のいずれか。）で表されることを特徴とする請求項１７に記載の発光装置。
【手続補正２】
【補正対象書類名】明細書
【補正対象項目名】０００３
【補正方法】変更
【補正の内容】
【０００３】
【特許文献１】特開２０００−１６４９３０
【特許文献２】特開２００１−３４５４８０
【特許文献３】特願２００１−１２４５５６（特開２００２−３１９７０５）
【特許文献４】特開平１０−１７８２１４
【特許文献５】特開２００１−２３０４４８
【特許文献６】特開２００２−１５１７３９
【特許文献７】特開２００２−３３５０１４
【特許文献８】特願２００２−１６９６２２（特開２００４−１４９７３）
【特許文献９】特開２００４−０４７９８８
【特許文献１０】特開２００２−０２６３８４
【特許文献１１】特開２００１−０８５７４９